(57)【要約】      （修正有）【課題】体の一番手の届きにくい背中の洗浄に優れた効果をみせ、使用後の用具の衛生面を向上させたあかすり洗浄具を提供する。【解決手段】中は空洞の表面は波打つ形状の筒型であり、その大きさは、ほぼ手のひらサイズとし、その繊維材質はナイロンとし、その材質の質感は、でこぼこのあるざらざらとした感触とする。そして縫製により幾重にも重ねた形状につくり厚みを持たせる。洗浄具の中の空洞に浴用タオルを通し使用することで洗浄目的場所の選択実施が容易になり、背中のあかすり効果が、高くなる。簡易形状のため、その洗浄具の洗濯も安易で衛生面でも優れる。【選択図】図１
0003144663.tif 000002
【実用新案登録請求の範囲】
【請求項１】
筒型形状の中の空洞を特徴とし、浴用タオルをその空洞に通して使用する浴用背中あかすり洗浄具である。
【請求項２】
本体は布製であり、見る方向は６面よりなる、それは上下から見る２面、正面から後面から見る２面、そして左右横面である。そして、上下から見る２面、正面後面から見る２面の形状は長方形で、表面は縫製手法によりできるひだで波うつ様子にある。又その正面方向から後面方向から見る四方は縫製により縮む形で丸みをおび、左右横面から見る形状は、波うつひだの裏布が見えながら、中央部は空洞であり、浴用タオルをその空洞に通して使用する浴用背中あかすり洗浄具である。
【請求項３】
材質は、やわらかタイプのナイロンであり、その材質表面は、ざらざらであかすりに適し、浴用タオルをその空洞に通して使用する浴用背中あかすり洗浄具である。
【請求項４】
その構造は、縫製段階でなされる、布を幾重にも重ねた構造で弾力性に富むを特徴とする、浴用タオルをその空洞に通して使う浴用背中あかすり洗浄具である。
【考案の詳細な説明】
【技術分野】
【０００１】  この発明は、浴用身体背中洗浄用具の形状に関する分野の発案である。
【背景技術】
【０００２】  従来の浴用身体背中洗浄具は、その単品で効力を発するが、この発明は、浴用タオルをこの考案具の中央の空洞部に通して使用するところである。
【考案の開示】
【考案が解決しようとする課題】
【０００３】  通常のタオル使用では、よく洗えた感が低い背中の洗浄力を高度なものとする。又洗浄具としての多様性をもたせる、又使用後の濯ぎ洗濯の簡易性にも優れ、衛生保持に高い効果を持たせることである。
【課題を解決するための手段】
【０００４】  横面から見る円形布の中を空洞にし、通常使用する浴用時のタオルを、この中央の空洞に通して使用することにより、目的の背中の位置に移動が簡単で、縫製による布の重なりは、膨らみのある形状を生み、背中のへこむ部分へのフィット感も高く洗浄効果を高める。又、タオルから抜けば、単品で、体全体の洗浄具として使用できる。又、その簡易形状が洗濯を安易にし、常に衛生的に使用できる。そのように、日常の浴用タオルを併用することで、全てが可能となる。簡易性形態をもって手段とする。
【考案の効果】
【０００５】  空洞に浴用タオルを通して使用する簡易浴用背中あかすり具としての形状効果、又、体全体洗浄具としての多様性、又、洗濯容易さによる衛生面の確保がある。
【考案を実施するための最良の形態】
【０００６】  中は空洞の表面は波打つ形状の筒型であり、その大きさは、ほぼ手のひらサイズとし、その繊維材質はナイロンとし、その材質の質感は、でこぼこのあるざらざらとした感触とする。そして縫製により幾重にも重ねた形状につくり厚みを持たせる。そして、主たる特徴は、浴用タオルをその考案品の中央空洞に通して使用できる形状にある。
【実施例】
【０００７】  長さは９５センチ、幅は１５センチのナイロン製布を２枚重ねにし、短い辺はほつれないように、まつり縫いし、その長い辺は両脇２センチに縫いしろをとり縫う、一度目の縫い方はダーツなしの直線縫い、二度目はダーツを取りながらの直線縫いとする、その工程の出来上がりは、皺のある長方形となる、それを１８センチ長さにその筒の中をくぐらせたり、かぶせたりしながら、繰り返し折り曲げ、最終段階では、筒の内側の部分で布の終点をとる。折り曲げた両端より５ミリ、１センチの２ヶ所、両脇としては合計４ヶ所、押さえ止め縫いをする。出来上がりは、その布の重ねにより、厚手になり表面は波打つ様子で、空洞にタオルを通して使用する浴用筒型背中洗浄具となる。
【図面の簡単な説明】
【０００８】
【図１】両側面図である。
【図２】正面図、後面図である
【図３】上面図、下面図である。
【符号の説明】
【０００９】  ▲１▼縫製のダーツ手法による布のしわである
▲２▼縫い目である。
【図１】
0003144663.tif 000003
【図２】
0003144663.tif 000004
【図３】
0003144663.tif 000005
【手続補正書】
【提出日】平成20年4月30日(2008.4.30)
【手続補正１】
【補正対象書類名】実用新案登録請求の範囲
【補正対象項目名】請求項３
【補正方法】変更
【補正の内容】
【請求項３】
繊維材質は、やわらかタイプのポリエステル布やナイロン布のような、ざらざらとしたあかすりに適したものとし、浴用タオルをその空洞に通して使用する浴用背中あかすり洗浄具である。
【手続補正２】
【補正対象書類名】明細書
【補正対象項目名】０００６
【補正方法】変更
【補正の内容】
【０００６】  中は空洞の表面は波打つ形状の筒型であり、その大きさは、ほぼ手のひらサイズとし、その繊維材質はポリエステルやナイロンなどのようなざらざらした質感のものとする。又、縫製により布が幾重にも重なる形状につくり厚みを持たせる。そして、主たる特徴は、浴用タオルをその考案品の中央空洞に通して使用できる形状にある。
【手続補正３】
【補正対象書類名】明細書
【補正対象項目名】０００７
【補正方法】変更
【補正の内容】
【０００７】  長さは９５センチ、幅は１５センチ程の製布を２枚重ねにし、短い辺の端はほつれないように縫う。その長い辺は両脇２センチに縫いしろをとり縫う、一度目の縫い方はダーツなしの直線縫い、二度目はダーツを取りながらの直線縫いとする、その工程の出来上がりは、皺のある長方形となる、それを１８センチ長さにその筒の中をくぐらせたり、かぶせたりしながら、繰り返し折り曲げ、最終段階では、筒の内側の部分で布の終点をとる。折り曲げた両端より５ミリ、１センチの２ヶ所、両脇としては合計４ヶ所、押さえ止め縫いをする。出来上がりは、その布の重ねにより、厚手になり表面は波打つ様子で、空洞にタオルを通して使用する浴用筒型背中洗浄具となる。
【手続補正書】
【提出日】平成20年6月11日(2008.6.11)
【手続補正１】
【補正対象書類名】実用新案登録請求の範囲
【補正対象項目名】全文
【補正方法】変更
【補正の内容】
【実用新案登録請求の範囲】
【請求項１】
筒型形状の中の空洞を特徴とし浴用タオルをその空洞に通して使用する浴用背中垢すり洗浄具。
【請求項２】
幾重にも布が重なった構造で、分厚い弾力のある形状の請求項１に記載の浴用背中垢すり洗浄具。
【請求項３】
材質はナイロンで、布表面はざらざらで垢すりに適した請求項２に記載の浴用背中垢すり洗浄具。
【手続補正２】
【補正対象書類名】明細書
【補正対象項目名】０００６
【補正方法】変更
【補正の内容】
【０００６】  中は空洞の表面は波打つ形状の筒型であり、その大きさは、ほぼ手のひらサイズとし、その繊維材質はナイロンなどのようなざらざらした質感のものとする。又、縫製により布が幾重にも重なる形状につくり厚みを持たせる。そして、主たる特徴は、浴用タオルをその考案品の中央空洞に通して使用できる形状にある。